(57)【要約】【課題】小さな空き地に、素人にも簡単に建設できる明るい、軽い、且つ、セキュリティの優れたセカンドハウスを提供する。【解決手段】円形ドームハウスが立設できるに十分な基板を木製板で形成し、その上に根太を周設し、あらかじめ水平方向に歪曲せしめた壁材を複数枚並列状に立設接続して前記の根太上に固定し、次いで、前記壁面板の上端縁辺を等分割するように配置した三本以上の垂木の一端を該壁面板上端縁辺に固定し、円形ハウスの中央上部において集中した複数の垂木の先端により円形天窓用窓枠を支持する。さらにその窓枠の上部に円形天窓を嵌合する。その円形天窓の下端より屋根全体をテント地により覆い、壁面の内外装クロス等が貼付される。【選択図】図１
2008231661.tif 000002
【特許請求の範囲】
【請求項１】
基板上に根太を周回敷設し、その根太上に一部には窓、一部には出入口を設けた壁材を複数枚並列立設してこれらをボルト・ナットまたはねじ釘で該根太に固定すると共に隣接する壁材および出入口相互間をボルト・ナットまたはねじ釘で締結することによって円形ドーム状壁面を構成し、その壁面の上端周縁を等分割する位置に複数本の垂木を先高状傾斜に周設して屋根骨組みとし、且つ、該垂木の先端に天窓用枠材を装着し、該天窓用枠材に天窓を載置し、さらにこの垂木からなる屋根部分をテントで被覆したことを特徴とする円形ドームハウス。
【請求項２】
基板上に、ほぼ１／４円またはほぼ１／２円を切り欠いた根太を周設固定し、その根太上に一部には窓、一部には出入り口を設けた壁材を複数枚並列立設してこれらをボルト・ナットまたはねじ釘で該根太に固定すると共に隣接する壁材および出入口相互間をボルト・ナットまたはねじ釘で締結することによって３／４または１／２円の壁面を構成し、その１／４または１／２の切り欠け部分を既存建物の直角状壁面または直線状壁面に密接させ、前記壁面の上端周縁を等分割した位置に複数本の垂木を先高状傾斜に周設して屋根形状を形成し、その垂木先端に天窓用枠材を装着し、かつ、該天窓用枠材に天窓を載置し、前記垂木部をテントにより被覆しことを特徴とするほぼ３／４円または１／２円形のドームハウス。
【請求項３】
前記壁面を構成する複数枚の壁材および出入口用枠材は、四辺の枠材および表面板が金属または木材からなり、個々の壁材は立設時水平方向に前記根太と同一円弧の曲率を有することを特徴とする請求項１または請求項２記載の円形ドームハウス。
【請求項４】
基板の裏面に３個以上のキャスターを取り付けたことを特徴とする請求項1または請求項２記載のドームハウス。
【発明の詳細な説明】
【技術分野】
【０００１】
本発明は、組立の簡易な小規模の円形住宅に関する。その形状は、モンゴルのパオに類似するものである。
【背景技術】
【０００２】
家屋の過密状態にある都市部においても若干の空き地がある場合、これを利用して部屋を増設し、或いは店舗、簡易宿泊所、倉庫、温室、カラオケルームなどを設置したいと思うことがあるが、安全性、機密性、保温性などに優れ、且つ、経済性を兼ね備えた簡易な建物がないのが現状である。
【０００３】
パオにヒントを得た簡易組立円形住宅として、複数に分割したＦＲＰ製の分体（１）〜（８）を、円形に敷設した固定台の上にボルト締結手段で取り付けると共に、この分体相互の下部を連結板で連結し、この分体の最上部固定縁を支持枠により連結固定して本体を形成し、この支持枠を二本の支柱により支え、昇降杆の上杆に固定された天井ドーム（Ｃ）を前記最上部固定縁部に被せ、前記支柱に配設した取付部材に昇降杆の下杆を上下動可能に取り付けた、採光と換気と排煙を調節する手段とからなる簡易組立円形住宅が開示されている（図８参照）。
【特許文献１】特開２０００−１２０１７１号公報（図参照）
【発明の開示】
【発明が解決しようとする課題】
【０００４】
上記の簡易住宅は、分体としての壁材がＦＲＰ製であることから強度が小さく、壁厚を大きくすれば重く、耐候性、耐熱性、耐火炎性などに問題があり、コストも高くなるといった問題があった。
【０００５】
また、建物を固定する固定台を地中に埋設し、これに本体を固定した構成であり、したがって、何処にでも、かつ、簡易に建設できるものではなかった。
【課題を解決するための手段】
【０００６】
本発明は、小面積の土地においても容易に建設ができるセカンドハウス的な居住空間を提供するもので、請求項１記載の発明においては円形ハウスを立設するに十分な大きさの基板に根太（または土台。以下同様）を周回状に敷設し、この根太上に水平方向が該根太の円弧とほぼ同様の曲率に歪曲された壁面構成部材、すなわち全面壁の壁材、その一部に窓を設けた窓付き壁材、または出入口を設けた出入口用壁材（枠材のみでも良い）を適宜組み合わせて立設し、ボルト・ナットまたはねじ釘により該根太に固定する。そして、それぞれ隣接の壁面構成部材相互間をボルト・ナットまたはねじ釘で締結することによって円筒状の壁面とし、その円筒壁面の上端周縁を等分する位置に複数本の垂木を傾斜状に配置して円錐状の屋根枠を構成し、その円錐屋根枠上部に明り取り用天窓を装着し、前記垂木部または／および壁面をテントで被覆し、前記壁面内部に内装クロス紙（布）等を貼付することを手段として居住性の良好な円形ドームハウスとした。
【０００７】
請求項２に記載の発明にあっては、既存家屋の壁面に密接せしめて立設する半円形または３／４円形のドームハウスであって、基板上に円形の一部を切除した、すなわち１／２円または３／４円の根太を周回敷設し、その根太上に壁材、出入口用壁材を立設し前記の建設の手順により垂木等を組合せて締結し、テントの被覆、内装をすることを手段として更に狭い立地においても建設できるドームハウスとした。
【０００８】
請求項３に記載の発明においては、前記壁材の四辺の枠材および表面板を木材合板または金属（鉄、非鉄合金など）で作製し、その個々の壁材には立設時水平方向に前記根太の曲率と同様の曲率を形成することを手段として、円弧状の壁面の構成を容易にした。なお、前記表面板の裏面（ハウスの内面側）には発泡樹脂等からなる断熱材を付設できることは勿論である。これによって該壁材を金属製とした場合においても保温性の優れた居住空間が確保でき、且つ、防火性、外部からの浸入に対して安全性が高い円形ドームハウスとなった。
【０００９】
請求項４に記載の発明においては、円形ハウスを載置する基板の裏面に３個以上のキャスターを取り付けて、該ハウス設置場所の移動可能にした。
【発明の効果】
【００１０】
本発明にかかる円形ハウスにおいて、壁材の立設時水平方向にはあらかじめ円形ハウスの曲率に合わせて歪曲されているので、該ハウスの建設は根太上に一つの壁材を立設固定し、この壁材に隣接して次の壁材を立設して根太および該隣接壁材に接続固定し、更に隣接壁材を同様の手順により立設するという操作を進めれば円周状の壁面が構成できる。次いで、その壁面の上部縁辺上に円錐状に周設し、その垂木先端に明り取りを設け、テントを被覆することによって簡単に居住空間が形成される。必要とあればさらに断熱材の貼付や内装を行なうが、基本的には大工などの専門技能がなくてもハウスの組立、解体が容易にできる。
【００１１】
図示していないが、基板の下面に数個のキャスターを装着することによりこの円形ハウスは簡単に移動することができる。したがって、立地を選ばず、また、日当たりを求め、或いは風当たりを避けての移動が容易である。また、円形であるので風圧を受け難く安全性が得られる。
【００１２】
前記の壁材を木製、またはアルミ合金などの金属で構成すれば軽く、丈夫なハウスが得られる。また、壁材に窓を設けることによって明り取りとすることができることは勿論、屋根の頂上に設けた天窓を開閉自在にすることによって室内の温度調節が容易にでき、夜間には星を観察することも可能である。
【００１３】
屋根が数本の垂木とテント地からなっているので昼間は内部が明るい。また、壁材の表面に金属板を貼付すれば頑丈であり防犯上の安心感が得られ、その裏面に断熱材および内装板クロスなどを装着すれば室内の保温性がよくなる。
【発明を実施するための最良の形態】
【００１４】
本発明に係る円形ドーム状ハウスにおいて、立設される複数の壁材は四辺を囲う金属または木質の枠材とその表面に貼り付ける金属板または木製板とその金属板、木製板の裏面に付着させる断熱材とからなるものをユニットとするもので、基板上に周設した根太の上にこの壁材を順次円形に並列立設して下辺の枠材を根太に固定し、次いで、互いに隣接する壁材の両側枠材をボルトナッとあるいはねじ釘等で締結し円形壁面を構築する。
【００１５】
次いで、前記壁面の上端周縁を等分割するように複数の垂木を中高傾斜状（円錐状）に配置固定し、該円形空間の中央上部において相接近するその複数の垂木の先端で円形天窓を支持させる。
【００１６】
前記垂木の上面をテント地によって覆う。壁材の外面には更に防水紙とテントを被覆しても良く、また、該壁材の内面には発泡樹脂などからなる断熱材が貼付され、更に内装用クロスが貼付される。
【実施例１】
【００１７】
本発明の実施例について、図面を参照しての更に詳細な説明をする。図１は全体図、図２以下は各部材と組立例を示したものである。
【００１８】
図２に示す基板１は木製の板を建設すべき円形ハウス２０が載置できるに十分な面積に張り巡らした床である。その木製基板１上に木製（または金属製）の根太２を円弧状に周設してボルト・ナット、ねじ或いは釘類で固定する。
【００１９】
次に、図２に立設される壁材３，３・・・はその四辺すなわち両端の縦枠３ａ、３ｂと上下の横枠３ｃと３ｄとその表面板３ｅを木または金属で構成し、かつ、その壁材３には組み立てるべき円形住宅の円弧と同様の円弧になる歪曲３ｗが形成されている。また、出入口枠材１３は木製または金属製である。このような壁材３、３・・・と出入口枠材１３を複数枚並列に立設させて一の壁材３の縦枠３ａと隣接する別の壁材３の縦枠３ｂ（出入口枠材１３にあっては１３ａ、１３ｂ）を締結孔３ｈにボルトを挿通してナットによりまたはねじ釘４により締結する。順次、この連結を全円周にわたって行ない円形側壁３ｔを構成する。
【００２０】
次いで、前記壁材３および出入口枠１３の下辺の横枠３ｃ、１３ｃをあらかじめ穿孔した締結孔３ｈにボルトを挿通してナットにより、またはねじ釘４により締結する。この説明においては壁面３ｔの組立順序に関して両端縦枠３ａ、３ｂの締結すなわち全周面３ｔを先に組み立て、根太２への固定を後としたが、その順序は逆でも良いことは勿論である。このように組み立てられた壁材３の縦横枠３ａ、３ｂ、３ｃ、３ｄに囲われた部分３ｆに発泡樹脂などからなる断熱材５を挿入（図３）し、さらにその断熱材５を被覆するように合板またはクロス６を貼付すれば保温性および美観が向上する。
【００２１】
前記で立設した側壁３ｔの上端縁辺３ｕに複数本の垂木７、７・・・がほぼ均等な間隔で、且つ、中高状に配置してその一端を釘４などにより上端縁辺３ｕ（壁材３の上辺枠３ｄおよび出入口枠１３の上辺枠３ｄ）に付設固定する。これら垂木の先端７ａ，７ａ・・・は該円形ハウス２０の上部中央にあって天窓枠材８を支承する（図４参照）。
【００２２】
この実施例１に示した天窓枠材８はその内径部分にガラス板装着用段部８ａを形成した枠状体であって、その外周には複数個のスロット８ｓ、８ｓ・・が周設形成されており、このスロット８ｓ、８ｓ・・に前記の垂木７．７・・の先端７ａ，７ａ・・が挿通して円周方向から該天窓枠材８を支持する構成にしたものである。この天窓枠材８にはガラス板が内装され（しなくても良い）、その上部に半球状、ドーム状などの透明フード９、すなわち明り取り用窓ガラスが装着される。
【００２３】
この透明フード９の下端より下方には防水テント１０が被覆されて明かり取りを兼ねた屋根とされている。また、前記壁材３、３・・が木製の場合、その外面に防水紙１１とテント地１０、更には合板６が添付され、室内の内装としては壁材内面および床面にクロスなどが貼布されて居住性の良い円形ドームハウス２０を完成する。
【００２４】
前記の壁材３は内面の全体に断熱材５を貼付したものを記載したが該断熱材は必須ではない。また、壁材３には窓１４を設けたものがあり，また、壁材３、３・・間には出入口を設けた壁材１３を適宜組み合わせて本発明の円形ドームハウス２０とされることは勿論である。
【００２５】
また、設置場所によっては組み立てた円形ドームハウス２０を回転ないし移動することが望まれる場合がある。本発明の円形ドームハウス２０が基板１の上に立設されるものであることから該基板１または根太の裏面に３個以上のキャスターを取り付けておくことによって簡単に移動ないし回転が可能になった（図示していない）。
【実施例２】
【００２６】
円形ドームハウス２０の設置場所、たとえば自宅の庭が狭く円形ハウスが立設できない場合においての実施例として３／４円形ドームハウスを既存建物Ｂに密着させて立設することが可能で、この建設方法を前記説明と重複しない程度に説明する。
【００２７】
図５の基板１はそのほぼ中心から９０度の角度、すなわち１／４円を切り欠いたもので、その切り欠き部分を建物Ｂの直角壁面に密着せしめる。次いで、３／４円を周回する根太２を前記基板の切り欠部に合わせて周設し、次いで、前記手順にしたがって３／４円分の周回をなす壁材３，３・・および出入口枠材１３を並列立設して壁面とした。このように構成した３／４円筒状の壁面３ｔを根太２に固定し、該壁材の内面に断熱材５を貼付、さらに屋根の垂木７，７・・装着固定し、天窓９の支持を行い、屋根にはテント１０を被覆して外装、内装を行なった。
【００２８】
この３／４円ハウスにおいて、前記のドーム状の透明フード９を装着するためには１／４円の切り欠き１ａを中心から若干浅くして円錐状屋根の先端に円形天窓の設置面積を確保するか、または、１／４円を切り欠いた円形天窓を用いることになる。しかし、円形天窓の必要がなければこの限りでない。
【実施例３】
【００２９】
基板１を半円形として建物の側壁面に密着せしめた半円形ハウスの実施例を実施例３として説明する。
【００３０】
前記３／４ハウスと同様に基板１は図６に示したように半裁したもので、その基板上にほぼ半円形の根太２を周設して既存建物Ｂの壁面にその半裁面を当接させる。次いで、前記手順にしたがって壁面３、・・を半円弧状に立設し、根太２に固定して該１／２の壁面３ｔを形成し、該壁材裏面に断熱材と合板を貼付、屋根に垂木を固定、天窓の設置およびテントを被覆し、内装を行なった。この１／２円形のハウスにおいても天窓の設置のためには前記３／４ハウスと同様にハウスの中心より少なくとも天窓枠材８の半径分は小さく切り欠くか、または、縦方向１／２に切断した形状の天窓枠材、天窓を使用する。この１／２ハウスの外観を示したのが図７である。この図７において描画したように壁材３に形成する窓の形状は特に制限するものではない。
【産業上の利用可能性】
【００３１】
本発明にかかる円形ドームハウスは手狭な空き地においても簡単に建設できるものであり、主として家庭における勉強部屋、倉庫、温室などに使用され得ることは勿論、パオ風の宴席、店舗、宿泊所、カラオケルームなどに利用される。
【図面の簡単な説明】
【００３２】
【図１】円形ドームハウスの実施例を示した一部断面図で、左半分は外観を、右半分は内面を示したものである。（実施例１）
【図２】壁材の立設手順を説明図である。
【図３】壁材の構成図である。
【図４】屋根部分の構成を示す断面図である。
【図５】３／４円形ドームハウスの根太部分を示した平面図である。（実施例２）
【図６】１／２円形ドームハウスの根太部分を示した平面図である。（実施例３）
【図７】１／２円形ドームハウスの実施例を示した説明図である。（実施例３）
【図８】特許文献１より引用した参考図である。
【符号の説明】
【００３３】
１    基板
２    根太
３    壁材
４    ボルト・ナットまたはねじ釘
５    断熱材
６    合板
７    垂木
８    天窓枠材
９    透明フード
【図１】
2008231661.tif 000003
【図２】
2008231661.tif 000004
【図３】
2008231661.tif 000005
【図４】
2008231661.tif 000006
【図５】
2008231661.tif 000007
【図６】
2008231661.tif 000008
【図７】
2008231661.tif 000009
【図８】
2008231661.tif 000010